(57)【要約】【課題】  落下などによる衝撃を受けても、カード装着部内のＩＣカードやコネクタの破損を防ぎ、ＩＣカードの接続信頼性を確保できる。【解決手段】  ＩＣカード１１が電気的に接続されるコネクタ１３が内部に設けられたカード装着部１２を、フローティング支持部材１６によって本体ケース１内に浮かした状態でＩＣカード１１の挿脱方向（矢印Ｘ、Ｙ方向）に移動可能に支持した。従って、落下などによる衝撃を受けると、フローティング支持部材１６によって支持されたカード装着部１２がＩＣカード１１の挿脱方向に移動し、これにより落下などによる衝撃を吸収することができる。このため、落下などによる衝撃によってカード装着部１２内のＩＣカード１１やコネクタ１３が破損するのを防ぐことができ、本体ケース１に対するＩＣカード１１の接続信頼性を確保することができる。【選択図】        図５
2005157818.tif 000002
【特許請求の範囲】
【請求項１】
装置本体と、
この装置本体内に配置され、ＩＣカードの一部が前記装置本体の外部に露出した状態で前記ＩＣカードが挿脱可能に挿入するカード装着部と、
このカード装着部内に設けられ、前記ＩＣカードが前記カード装着部に挿入された際に電気的に接続されるコネクタと、
前記カード装着部を前記装置本体内に浮かした状態で前記ＩＣカードの挿脱方向に移動可能に支持するフローティング支持部材と
を備えたことを特徴とする携帯端末装置。
【請求項２】
前記フローティング支持部材は、前記装置本体内に固定された固定フレームと、この固定フレームに前記ＩＣカードの挿脱方向に移動可能に支持された可動フレームとを備え、この可動フレームに前記カード装着部が支持されていることを特徴する請求項１に記載の携帯端末装置。
【請求項３】
前記装置本体に着脱可能に装着されて、前記装置本体から外部に露出する前記ＩＣカードの前記一部を覆う保護カバーを備えていることを特徴する請求項１または２に記載の携帯端末装置。
【請求項４】
前記保護カバーは、前記装置本体に設けられた固定係止部に係脱可能に係止される第１係合部と、前記可動フレームに設けられた可動係止部に係脱可能に係止される第２係合部とを備えていることを特徴する請求項３に記載の携帯端末装置。
【請求項５】
前記保護カバーには、前記可動フレームに設けられた可動係止部に係脱可能に係止される係合レバーが設けられ、
前記装置本体には、前記保護カバーの前記係合レバーを前記可動フレームの前記可動係止部にガイドして係合させるガイド部が設けられていることを特徴する請求項３に記載の携帯端末装置。
【発明の詳細な説明】
【技術分野】
【０００１】
この発明は、ハンディターミナルやＰＤＡ（パーソナル・デジタル・アシスタント）などの携帯端末装置に関する。
【背景技術】
【０００２】
例えば、ハンディターミナルなどの携帯端末装置においては、ＰＣカードやＣＦカードなどのＩＣカードを装置本体のカード装着部に装着して、無線ＬＡＮ、公衆回線などの通信機能や、バーコードなどの情報を読み取るスキャナ機能などの各種機能の拡張を図っている。
【０００３】
このようなＩＣカードを装着する携帯端末装置としては、装置本体の外面にＩＣカードが着脱可能に装着するカード装着部を回動可能に取り付け、このカード装着部を装置本体に対し回動させることにより、カード装着部に装着されたＩＣカードによる受信感度が最適な状態になる方向にＩＣカードを向けるように構成されたものがある。
【０００４】
しかしながら、このような携帯端末装置では、カード装着部が装置本体の外面に回動可能に設けられているので、カード装着部の機械的な強度を確保することが難しく、しかもＩＣカードに対する静電気対策、防水対策、および防塵対策が不十分で、ＩＣカードを十分に保護することができないという問題がある。
【特許文献１】特開２００３−１４１４５９号公報
【０００５】
また、このような問題を回避するため、従来では、装置本体内にＩＣカードの一部を装置本体の外部に露出させた状態でＩＣカードが装着するカード装着部を設けると共に、装置本体にその外部に露出するＩＣカードの一部を覆うための保護カバーを装着した構造のものがある。この場合、カード装着部内には、ＩＣカードが電気的に接続されるコネクタが設けられており、このコネクタは、装置本体内に設けられた回路基板に固定されている。
【０００６】
このような携帯端末装置では、装置本体の外部に露出するＩＣカードの一部を保護カバーで保護すると共に、ＩＣカードに対する静電気対策、防水対策、および防塵対策を図ることはできても、装置本体内にカード装着部が固定され、且つこのカード装着部内のコネクタが装置本体内の回路基板に固定されているため、落下などによる衝撃が保護カバーに加わった際、その衝撃が保護カバーからＩＣカードにそのまま伝わり、カード装着部内のＩＣカードやコネクタが破損するという問題がある。
【発明の開示】
【発明が解決しようとする課題】
【０００７】
この発明が解決しようとする課題は、落下などによる衝撃を受けても、カード装着部内のＩＣカードやコネクタが破損するのを防ぎ、ＩＣカードの接続信頼性を確保することができる携帯端末装置を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図１０に示すように、装置本体（本体ケース１）と、この装置本体内に配置され、ＩＣカード（１１）の一部（外端部１１ａ）が前記装置本体の外部に露出した状態で前記ＩＣカードが挿脱可能に挿入するカード装着部（１２）と、このカード装着部内に設けられ、前記ＩＣカードが前記カード装着部に挿入された際に電気的に接続されるコネクタ（１３）と、前記カード装着部を前記装置本体内に浮かした状態で前記ＩＣカードの挿脱方向に移動可能に支持するフローティング支持部材（１６）とを備えたことを特徴とする携帯端末装置である。
【００１０】
請求項２に記載の発明は、図１〜図１０に示すように、前記フローティング支持部材（１６）が、前記装置本体（本体ケース１）内に固定された固定フレーム（１７）と、この固定フレームに前記ＩＣカード（１１）の挿脱方向に移動可能に支持された可動フレーム（１８）とを備え、この可動フレームに前記カード装着部（１２）が支持されていることを特徴する請求項１に記載の携帯端末装置である。
【００１１】
請求項３に記載の発明は、図１〜図１０に示すように、前記装置本体（本体ケース１）に着脱可能に装着されて、前記装置本体から外部に露出する前記ＩＣカード（１１）の前記一部（外端部１１ａ）を覆う保護カバー（１０）を備えていることを特徴する請求項１または２に記載の携帯端末装置である。
【００１２】
請求項４に記載の発明は、図１〜図８に示すように、前記保護カバー（１０）が、前記装置本体（本体ケース１）に設けられた固定係止部（固定係止凹部２３）に係脱可能に係止される第１係合部（係合凸部２１）と、前記可動フレーム（１８）に設けられた可動係止部（可動係止凸部２４）に係脱可能に係止される第２係合部（係合凹部２２）とを備えていることを特徴する請求項３に記載の携帯端末装置である。
【００１３】
請求項５に記載の発明は、図９および図１０に示すように、前記保護カバー（１０）には、前記可動フレーム（１８）に設けられた可動係止部（可動係止凹部３１）に係脱可能に係止される係合レバー（３０）が設けられ、前記装置本体（本体ケース１）には、前記保護カバーの前記係合レバーを前記可動フレームの前記可動係止部にガイドして係合させるガイド部（３２）が設けられていることを特徴する請求項３に記載の携帯端末装置である。
【発明の効果】
【００１４】
請求項１に記載の発明によれば、ＩＣカードが電気的に接続されるコネクタが内部に設けられたカード装着部を、フローティング支持部材によって装置本体内に浮かした状態でＩＣカードの挿脱方向に移動可能に支持したので、落下などによる衝撃を受けると、フローティング支持部材によって支持されたカード装着部がＩＣカードの挿脱方向に移動し、これにより落下などによる衝撃を吸収することができる。このため、落下などによる衝撃によってカード装着部内のＩＣカードやコネクタが破損するのを防ぐことができ、装置本体に対するＩＣカードの接続信頼性を確保することができる。
【００１５】
請求項２に記載の発明によれば、フローティング支持部材が、装置本体内に固定された固定フレームと、この固定フレームにＩＣカードの挿脱方向に移動可能に支持された可動フレームとを備え、この可動フレームにカード装着部が支持されているので、落下などによる衝撃がＩＣカードや装置本体に加わると、その衝撃に応じて可動フレームがＩＣカードの挿脱方向に移動すると共に、この可動フレームの移動に伴ってカード装着部も同方向に移動し、これにより落下などによる衝撃を吸収することができる。このため、落下などによる衝撃によってカード装着部内のＩＣカードやコネクタが破損するのを確実に防ぐことができ、より一層、装置本体に対するＩＣカードの接続信頼性を確保することができる。
【００１６】
請求項３に記載の発明によれば、装置本体に着脱可能に装着されて、装置本体から外部に露出するＩＣカードの一部を覆う保護カバーを備えていることにより、この保護カバーによって落下などによる衝撃からＩＣカードを保護することができるほか、特にこの保護カバーによってＩＣカードに対する静電気対策、防水対策、および防塵対策をも図ることができ、これにより、より一層、安全性の高いものを得ることができる。
【００１７】
請求項４に記載の発明によれば、保護カバーが、装置本体に設けられた固定係止部に係脱可能に係止される第１係合部と、可動フレームに設けられた可動係止部に係脱可能に係止される第２係合部とを備えていることにより、保護カバーを装置本体に装着する際に、保護カバーの第１係合部を装置本体の固定係止部に係止させた状態で、保護カバーの第２係合部を可動フレームの可動係止部に係止させると、保護カバーによって可動フレームを装置本体内の所定位置に位置決めすることができる。
【００１８】
このため、可動フレームが固定フレームに対し移動可能に支持されていても、保護カバーによって所定位置に位置規制することができ、これにより安定した状態で使用することができる。また、この場合にも、落下などによる衝撃が保護カバーに加わると、請求項２に記載の発明と同様、カード装着部が可動フレームと共にＩＣカードの挿脱方向に移動するので、落下などによる衝撃を吸収することができる。
【００１９】
請求項５に記載の発明によれば、可動フレームに設けられた可動係止部に係脱可能に係止される係合レバーを保護カバーに設け、この保護カバーの係合レバーを可動フレームの可動係止部にガイドして係合させるガイド部を装置本体に設けたことにより、保護カバーを装置本体に対し装着するときに、保護カバーの係合レバーを装置本体のガイド部によって円滑にガイドして可動フレームの可動係止部に係止させることができる。
【００２０】
このため、請求項４に記載の発明と同様、保護カバーによって可動フレームを装置本体内の所定位置に位置決めすることができるので、可動フレームが固定フレームに対し移動可能に支持されていても、保護カバーによって所定位置に位置規制することができると共に、落下などによる衝撃を吸収することができ、これにより安定した状態で使用することができるほか、特に保護カバーを装置本体に接近させるだけの自然な取付作業で、装置本体に対する保護カバーの装着作業が容易にでき、保護カバーの装着作業性の向上を図ることができる。
【発明を実施するための最良の形態】
【００２１】
（実施形態１）
以下、図１〜図８を参照して、この発明の携帯端末装置の実施形態１について説明する。
図１はこの発明の携帯端末装置の斜視図、図２はその正面図、図３はその側面図、図４は図１の装置本体から保護カバーを取り外した状態の分解斜視図である。
この携帯端末装置は、ハンディターミナルであり、図１および図２に示すように、ほぼ羽子板状の本体ケース１を備えている。
【００２２】
この本体ケース１の上面には、表示部２とキー入力部３とが設けられている。表示部２は、液晶表示素子やＥＬ表示素子（エレクトロルミネッセンス表示素子）などの平面型の表示素子からなり、図２に示すように、本体ケース１の上部側、つまりほぼ羽子板状の幅広部分の上面におけるほぼ全域に設けられている。キー入力部３は、テンキー、機能キー、ファンクションキーなどの各種のキーを備え、本体ケース１の下部側、つまりほぼ羽子板状の握り部分の上面におけるほぼ全域に設けられている。
【００２３】
また、本体ケース１の下面には、図１および図３に示すように、光学読取部４とバッテリー部５とが設けられており、本体ケース１の下部側の端面には、図１に示すように、外部接続部６が設けられている。光学読取部４は、本体ケース１の上部側の下面、つまりほぼ羽子板状の幅広部分の下面にその下側に突出して設けられた光学収納部７を有し、この光学収納部７内に発光素子と受光素子（いずれも図示せず）が設けられた構成になっている。
【００２４】
この光学読取部４は、発光素子で発光したレーザ光線などの光を光学収納部７の先端部（図３では右端面）に設けられた窓部（図示せず）を通して商品などのデータ読取部分に照射し、その反射光を窓部から取り込んで受光素子で受光することにより、商品などのデータ読取部分の情報を読み取るように構成されている。バッテリー部５は、充電可能な電源部分であり、図３に示すように、本体ケース１の左側の下面、つまりほぼ羽子板状の握り部分の下面に設けられている。外部接続部６は、図１に示すように、外部機器と電気的に接続する接続端子８、および外部機器と光通信をするための外部通信部９を備え、本体ケース１の左端面、つまりほぼ羽子板状の握り部分の先端面に設けられている。
【００２５】
一方、本体ケース１の右端部には、図４〜図６に示すように、保護カバー１０が着脱可能に取り付けられている。この保護カバー１０が装着される本体ケース１の右側の内部には、ＩＣカード１１の外端部１１ａ（図５および図６では右端部）が本体ケース１の外部に露出した状態で、ＩＣカード１１が挿脱可能に挿入して装着するカード装着部１２が配置されている。この場合、ＩＣカード１１は、ＰＣカードやＣＦカードなどのＩＣチップを埋め込んだカードであり、無線ＬＡＮ、公衆回線などの通信機能や、バーコードなどの情報を読み取るスキャナ機能などの各種機能の拡張を図るように構成されている。
【００２６】
カード装着部１２は、図５および図６に示すように、本体ケース１の開口部側（図６では右端部側）からＩＣカード１１が挿脱可能に挿入し、この挿入したＩＣカード１１の外端部１１ａ（図６では右端部）が本体ケース１の外部に露出した状態で装着するように構成されている。このカード装着部１２内における奥部（図６では左端部）には、カード装着部１２内に挿入されたＩＣカード１１の先端部（図６では左端部）が差し込まれて電気的に接続されるコネクタ１３が設けられている。このコネクタ１３は、カード装着部１２の下面に設けられた補助回路基板１４に取り付けられており、この補助回路基板１４は、フレキシブルな配線基板１５によって本体ケース１内のメイン回路基板（図示せず）に電気的に接続されている。
【００２７】
また、このカード装着部１２は、図５〜図８に示すように、本体ケース１の内部にフローティング支持部材１６によって支持されている。このフローティング支持部材１６は、図７および図８に示すように、本体ケース１内に固定された固定フレーム１７と、この固定フレーム１７にＩＣカード１１の挿脱方向（図５〜図８に示された矢印Ｘ、Ｙ方向）に移動可能に支持された可動フレーム１８とを備え、この可動フレーム１８にカード装着部１２が取り付けられている。
【００２８】
すなわち、固定フレーム１７は、図７および図８に示すように、本体ケース１内に設けられた一対の側板からなり、これら側板の対向面にガイド凹部１９がＩＣカード１１の挿脱方向（図８に示す矢印Ｘ、Ｙ方向）に沿って設けられている。可動フレーム１８は、図７および図８に示すように、断面形状が凹部形状の台座であり、その両側の外側面にガイド突起部２０がそれぞれ設けられ、これらガイド突起部２０が固定フレーム１７のガイド凹部１９内に移動可能に配置され、これによりＩＣカード１１の挿脱方向（図８に示す矢印Ｘ、Ｙ方向）に移動可能な状態で固定フレーム１７に支持されている。また、この可動フレーム１８には、図５〜図７に示すように、カード装着部１２が取り付けられている。
【００２９】
ところで、保護カバー１０は、図５および図６に示すように、本体ケース１から外部に露出するＩＣカード１１の外端部１１ａを覆って、本体ケース１に着脱可能に装着すると共に、フローティング支持部材１６の可動フレーム１８にも着脱可能に装着するように構成されている。すなわち、この保護カバー１０は、ＩＣカード１１の外端部１１ａを覆うほぼカップ状に形成されており、この保護カバー１０の縁部における内周部には、係合凸部２１と係合凹部２２とが設けられている。
【００３０】
この保護カバー１０の係合凸部２１は、本体ケース１の開口部におけるの縁部（図５では右端部）に設けられた固定係止凹部２３に係脱可能に係合すように構成されており、保護カバー１０の係合凹部２２は、フローティング支持部材１６の可動フレーム１８における外端部に設けられた可動係止凸部２４が係脱可能に係合して本体ケース１の開口部における縁部に当接するように構成されている。この場合、可動フレーム１５の可動係止凸部２４は、図５および図６に示すように、本体ケース１の縁部近傍から外側に位置し、この状態で下側に折り曲げられ、この折り曲げられた下端部が保護カバー１０の係合凹部２２に係合するように構成されている。
【００３１】
これにより、保護カバー１０は、図５に示すように、係合凸部２１を本体ケース１の固定係止凹部２３に係止させると共に、係合凹部２２を可動フレーム１８の可動係止凸部２４に係止させて本体ケース１の開口部における縁部に当接させることにより、固定フレーム１７に対しＩＣカード１１の挿脱方向（図６に示す矢印Ｘ、Ｙ方向）に移動可能に支持された可動フレーム１８を位置決めし、この状態でビス（図示せず）によって本体ケース１に取り付けられ、これにより本体ケース１から外部に突出するＩＣカード１１の外端部１１ａを覆って保護するように構成されている。
【００３２】
このような携帯端末装置では、ＩＣカード１１を本体ケース１に装着する場合、図４および図６に示すように、保護カバー１０を本体ケース１から取り外し、この状態でＩＣカード１１をカード装着部１２に挿入させ、ＩＣカード１１の先端部（図６では左端部）をカード装着部１２内のコネクタ１３に差し込む。これにより、ＩＣカード１１は、カード装着部１２に装着されてコネクタ１３と電気的に接続され、このコネクタ１３が取り付けられた補助回路基板１４およびフレキシブルな配線基板１５を介して本体ケース１内のメイン回路基板（図示せず）と電気的に接続される。
【００３３】
このときには、ＩＣカード１１の外端部１１ａ（図６では右端部）が本体ケース１の外部に突出した状態で、カード装着部１２に装着される。このため、本体ケース１の外部に露出したＩＣカード１１の外端部１１ａを保護するために、保護カバー１０を本体ケース１に装着する。この場合には、図５に示すように、保護カバー１０内にＩＣカード１１の外端部１１ａを挿入させた状態で、この保護カバー１０の係合凸部２１を本体ケース１の固定係止凹部２３に係止させると共に、保護カバー１０の係合凹部２２を可動フレーム１８の可動係止凸部２４に係止させて本体ケース１の開口部における縁部に当接させ、この状態で本体ケース１にビス止めする。
【００３４】
これにより、保護カバー１０がＩＣカード１１の外端部１１ａを覆って本体ケース１に装着される。このときには、保護カバー１０の係合凸部２１が本体ケース１の固定係止凹部２３に係止され、且つ保護カバー１０の係合凹部２２が可動フレーム１８の可動係止凸部２４に係止されるので、カード装着部１２がフローティング支持部材１６の固定フレーム１７に対し移動可能に支持された可動フレーム１８に取り付けられていても、保護カバー１０によって可動フレーム１８が所定位置に位置決めされる。
【００３５】
このように、この携帯端末装置によれば、ＩＣカード１１が電気的に接続されるコネクタ１３が内部に設けられたカード装着部１２を、フローティング支持部材１６によって本体ケース１内に浮かした状態で、ＩＣカード１１の挿脱方向（図５〜図８に示す矢印Ｘ、Ｙ方向）に移動可能に支持しているので、落下などによる衝撃を受けると、フローティング支持部材１６によって支持されたカード装着部１２がＩＣカード１１の挿脱方向に移動し、これにより落下などによる衝撃を吸収することができる。
【００３６】
すなわち、フローティング支持部材１６は、本体ケース１内に固定された固定フレーム１７と、この固定フレーム１７にＩＣカード１１の挿脱方向に移動可能に支持された可動フレーム１８とを備え、この可動フレーム１８にカード装着部１２が支持されているので、保護カバー１０や本体ケース１が落下などによる衝撃を受けると、その衝撃に応じて可動フレーム１８がＩＣカード１１の挿脱方向に移動すると共に、この可動フレーム１８と共にカード装着部１２も同方向に移動する。このため、落下などによる衝撃によって、カード装着部１２内に装着されたＩＣカード１１、およびカード装着部１２内のコネクタ１３が破損するのを確実に防ぐことができ、これにより本体ケース１に対するＩＣカード１１の接続信頼性を確保することができる。
【００３７】
この場合には、本体ケース１から外部に露出するＩＣカード１１の外端部１１ａを覆う保護カバー１０が本体ケース１に着脱可能に装着されているので、この保護カバー１０によっても落下などによる衝撃に対しＩＣカード１１を保護することができるほか、この保護カバー１０によってＩＣカード１１に対する静電気対策、防水対策、および防塵対策をも図ることができ、これにより安全性の高いものを得ることができる。
【００３８】
また、この保護カバー１０を本体ケース１に装着する際には、保護カバー１０の係合凸部２１を本体ケース１の固定係止凹部２３に係止させた状態で、保護カバー１０の係合凹部２２を可動フレーム１８の可動係止凸部２４に係止させて本体ケース１の開口部における縁部に当接させることにより、保護カバー１０によって可動フレーム１８を本体ケース１内の所定位置に位置決めすることができる。このため、可動フレーム１８が固定フレーム１７に対し移動可能に支持されていても、保護カバー１０によって所定位置に位置規制することができ、これにより安定した状態で良好に使用することができる。
【００３９】
（実施形態２）
次に、図９および図１０を参照して、この発明の携帯端末装置の実施形態２について説明する。なお、図１〜図８に示された実施形態１と同一部分には同一符号を付して説明する。
この携帯端末装置は、図９および図１０に示すように、保護カバー１０に係合レバー３０を取り付け、フローティング支持部材１６の可動フレーム１８に保護カバー１０の係合レバー３０が係合する可動係止凹部３１を設けると共に、本体ケース１に係合レーバー３０を可動係止凹部３１にガイドして係合させるガイド部３２を設けた構造で、これ以外は実施形態１とほぼ同じ構造になっている。
【００４０】
すなわち、係合レバー３０は、図９および図１０に示すように、保護カバー１０に取付軸３３によって回動可能に取り付けられており、その先端部には、可動フレーム１８の可動係止凹部３１に係合する係合部３４が設けられている。また、可動フレーム１８の可動係止凹部３１は、図９および図１０に示すように、本体ケース１内に位置した状態で、可動フレーム１８の先端部（図１０では右端部）における下面に設けられている。
【００４１】
また、本体ケース１のガイド部３２は、図９および図１０に示すように、可動係止凹部３１の下側に対応する本体ケース１の個所に設けられた傾斜面であり、係合レバー３０の係合部３４を可動フレーム１８の可動係止凹部３１に挿入させるようにガイドし、且つ係合レバー３０の係合部３４が可動フレーム１８の可動係止凹部３１に挿入した状態で、係合レバー３０を下側から押えるように構成されている。これにより、保護カバー１０は、係合レバー３０の係合部３４が可動フレーム１８の可動係止凹部３１に挿入した状態で、本体ケース１のガイド部３２によって係合レバー３０が下側から押えられることにより、本体ケース１に対し取り付けられるように構成されている。
【００４２】
このような携帯端末装置では、保護カバー１０を本体ケース１に対し取り付けるときに、図１０に示すように、本体ケース１から外部に露出したＩＣカード１１の外端部１１ａを保護カバー１０内に挿入させながら、保護カバー１０を本体ケース１に接近させると、保護カバー１０の係合レバー３０が本体ケース１のガイド部３２にガイドされ、図９に示すように、係合レバー３０が取付軸３３を中心に回動して係合レバー３０の係合部３４が可動フレーム１８の可動係止凹部３１に係合するので、保護カバー１０を本体ケース１に対し取り付けることができる。
【００４３】
このように、この携帯端末装置によれば、実施形態１と同様の作用効果があるほか、特に保護カバー１０を本体ケース１に対して接近させるだけの自然な取付作業で、保護カバー１０を本体ケース１に対し取り付けることができるので、本体ケース１に対する保護カバー１０の装着作業が容易にでき、保護カバー１０の装着作業性の向上を図ることができる。この場合、保護カバー１０は、係合レバー３０の係合部３４が可動フレーム１８の可動係止凹部３１に挿入すると、ガイド部３２によって係合レバー３０が下側から押えられるので、本体ケース１に対し保護カバー１０を確実に固定させることができる。
【００４４】
なお、上記実施形態２では、保護カバー１０に設けられた係合レバー３０の係合部３４を可動フレーム１８の可動係止凹部３１に係合させるだけで、保護カバー１０を本体ケース１に対し取り付けているが、これに限らず、実施形態１と同様、保護カバー１０に係合凸部２１を設け、この係合凸部２１を本体ケース１の固定係止凹部２３に係合させることにより、この係合凸部２１と係合レバー３０とで保護カバー１０を本体ケース１に取り付けるようにしても良い。
【００４５】
また、上記実施形態１、２では、携帯端末装置として、ハンディターミナルに適用した場合について述べたが、これに限らず、ＰＤＡ（パーソナル・デジタル・アシスタント）などの携帯端末機にも適用することができる。
【図面の簡単な説明】
【００４６】
【図１】この発明の携帯端末装置を示した斜視図である。（実施形態１）
【図２】図１の正面図である。
【図３】図１の側面図である。
【図４】図１の本体ケースから保護カバーを取り外した状態の分解斜視図である。
【図５】図１のＡ−Ａ矢視における拡大断面図である。
【図６】図４のＢ−Ｂ矢視における拡大断面図である。
【図７】図５のＣ−Ｃ矢視における拡大断面図である。
【図８】図５のフローティング支持部材を裏面側から見た一部破断した拡大裏面図である。
【図９】この発明の携帯端末装置の要部を示した拡大断面図である。（実施形態２）
【図１０】図９の本体ケースに保護カバーを装着する状態を示した拡大断面図である。
【符号の説明】
【００４７】
１  本体ケース
１０  保護カバー
１１  ＩＣカード
１１ａ  ＩＣカードの外端部
１２  カード装着部
１３  コネクタ
１４  補助回路基板
１５  配線基板
１６  フローティング支持部材
１７  固定フレーム
１８  可動フレーム
１９  ガイド凹部
２０  ガイド突起部
２１  係合凸部
２２  係合凹部
２３  固定係止凹部
２４  可動係止凸部
３０  係合レバー
３１  可動係止凹部
３２  ガイド部
【図１】
2005157818.tif 000003
【図２】
2005157818.tif 000004
【図３】
2005157818.tif 000005
【図４】
2005157818.tif 000006
【図５】
2005157818.tif 000007
【図６】
2005157818.tif 000008
【図７】
2005157818.tif 000009
【図８】
2005157818.tif 000010
【図９】
2005157818.tif 000011
【図１０】
2005157818.tif 000012